(57)【要約】      （修正有）【課題】低コストでドレン横走り管の断熱効果の低下を防止可能な継手を提供する。【解決手段】空調室内機２２のドレン管に接続されるホース３と、空調室内機から排出されるドレンを室外に導くと共に端面にのみ露出する断熱材を有する筒状配管２３とを接続するための継手１であって、ホースから導入されるドレンを筒状配管へ供給するドレン通路と、ドレン通路の一端に設けられ、ホースを接続するための筒状の第１接続部と、ドレン通路の他端に設けられ、筒状配管を接続するための第２接続部とを備え、第２接続部は、筒状配管の端面並びに端面の近傍の外周面及び内周面を全周にわたって収容する溝部を備える。第２接続部の溝部を形成する内側筒状部及び外側筒状部を備え、内側筒状部は、外周面に外周面の全周にわたって外周面に垂直な方向に突出する突条を備えることができる。【選択図】図１
2018138820.tif 000002
【特許請求の範囲】
【請求項１】
空調室内機のドレン管に接続されるホースと、前記空調室内機が設置された室の外に前記空調室内機から排出されるドレンを導くと共に端面にのみ露出する断熱材を有する筒状配管とを接続するための継手であって、
前記ホースから導入されるドレンを前記筒状配管へ供給するドレン通路と、
該ドレン通路の一端に設けられ、前記ホースを接続するための筒状の第１接続部と、
該ドレン通路の他端に設けられ、前記筒状配管を接続するための第２接続部とを備え、
前記第２接続部は、前記筒状配管の端面並びに該端面の近傍の外周面及び内周面を全周にわたって収容する溝部を備えることを特徴とする継手。
【請求項２】
前記第２接続部の前記溝部を形成する内側筒状部及び外側筒状部を備え、
前記内側筒状部は、外周面に該外周面の全周にわたって該外周面に垂直な方向に突出する突条を備えることを特徴とする請求項１に記載の継手。
【請求項３】
前記外側筒状部が前記内側筒状部よりも前記ドレン通路のドレン流れ方向に延長されており、
該外側筒状部の延長部分は、内周面に該内周面の全周にわたって該内周面に垂直な方向に突出する突条を備えることを特徴とする請求項２に記載の継手。
【請求項４】
前記外側筒状部の延長部分の外周面で、かつ該外側筒状部の前記内周面に形成された前記突条に対向する位置に、該外周面を該外周面に垂直な方向に締め付ける締付部材が設けられることを特徴とする請求項３に記載の継手。
【請求項５】
前記第２接続部の溝部の表面と、前記筒状配管の端面並びに該端面の近傍の外周面及び内周面とを接着するための接着剤を備えることを特徴とする請求項１乃至４のいずれかに記載の継手。
【請求項６】
前記第１接続部及び前記第２接続部の内周面に当接する円筒状部材を備えることを特徴とする請求項１乃至５のいずれかに記載の継手。
【発明の詳細な説明】
【技術分野】
【０００１】
本発明は、室内に設置された空調室内機で発生したドレンを室外に導く際に、空調室内機のドレン管に接続されるホースと、前記空調室内機が設置された部屋の外に前記空調室内機から排出されるドレンを導く筒状配管とを接続するための継手に関する。
【背景技術】
【０００２】
図９は、室内の天井裏等に設置した空調室内機で発生したドレンを室外に導く際に用いられるドレンアップ配管の一例を示す。このドレンアップ配管２１は、空調室内機２２のドレン管２２ａと、このドレン管２２ａから排出されたドレンを室外に導くためのドレン横走り管２３とを接続するドレンホース継手２５と、空調室内機２２を天井部（不図示）に吊すための吊り部２７に付設され、ドレンホース継手２５を吊持する吊持部２６とで構成される（特許文献１参照）。上記ドレンアップ配管２１において、水滴の付着及び落下を防止するため、各部材を断熱材で覆ったり、断熱材入りの材料で構成していた。
【０００３】
上記断熱施工の一例として、図１０及び図１１に示すように、断熱材２８入りのドレン横走り管２３（上方に向かって延設される部分のみを図示）をドレンホース継手２５に接続している。図１０においては、ドレンホース継手２５の継手２５ａに拡径部２５ｂを設け、この拡径部２５ｂにドレン横走り管２３の上端部２３ａを収容し、拡径部２５ｂと上端部２３ａの当接面を接着剤で接合している。一方、図１１においては、ドレン横走り管２３より小径のアダプタ３０を用い、アダプタ３０とドレン横走り管２３及び継手２５ｃの当接部、及びドレン横走り管２３と継手２５ｃの接合面３１を接着剤で接合している。
【先行技術文献】
【特許文献】
【０００４】
【特許文献１】実用新案登録第３１５０９２２号公報
【発明の概要】
【発明が解決しようとする課題】
【０００５】
ドレン横走り管２３の断熱材２８は、図１０及び図１１に示すように、ドレン横走り管２３全体にわたって設けられ、上端面２３ｂで露出する。そのため、図１０に示すようにドレン横走り管２３と継手２５ａを接続すると、両者を接合する接着剤が剥がれた場合に当接部２９からドレンが侵入して断熱材２８が水分を吸収し、断熱効果が低下するおそれがあった。
【０００６】
一方、図１１に示すようにアダプタ３０を介してドレン横走り管２３と継手２５ｃを接続した場合には、両者の接合面３１がアダプタ３０によって保護されるため、断熱材２８がドレンと接触し難くなり、断熱材２８が水分を吸収することを防止することができるものの、アダプタ３０を設ける分コストが増加するという問題があった。
【０００７】
そこで、本発明は、低コストでドレン横走り管の断熱効果の低下を防止することが可能な継手を提供することを目的とする。
【課題を解決するための手段】
【０００８】
上記目的を達成するため、本発明は、空調室内機のドレン管に接続されるホースと、前記空調室内機が設置された室の外に前記空調室内機から排出されるドレンを導くと共に端面にのみ露出する断熱材を有する筒状配管とを接続するための継手であって、前記ホースから導入されるドレンを前記筒状配管へ供給するドレン通路と、該ドレン通路の一端に設けられ、前記ホースを接続するための筒状の第１接続部と、該ドレン通路の他端に設けられ、前記筒状配管を接続するための第２接続部とを備え、前記第２接続部は、前記筒状配管の端面並びに該端面の近傍の外周面及び内周面を全周にわたって収容する溝部を備えることを特徴とする。
【０００９】
本発明によれば、筒状配管（ドレン横走り管）の端部を収容する溝部を設けることで、継手と筒状配管の当接部にドレンが侵入することを防止し、筒状配管の断熱材とドレンの接触を防止することができるため、筒状配管の断熱効果の低下を防止することができる。また、継手と筒状配管を接続する上で、上述のアダプタのような部材を別途用いる必要がないため、製造コスト及び作業コストを低く抑えることができる。
【００１０】
上記継手は、前記第２接続部の前記溝部を形成する内側筒状部及び外側筒状部を備え、前記内側筒状部は、外周面に該外周面の全周にわたって該外周面に垂直な方向に突出する突条を備えることができる。突条が筒状配管の端部表面と密着することで、断熱材とドレンの接触をより効果的に防止することができる。
【００１１】
また、前記外側筒状部が前記内側筒状部よりも前記ドレン通路のドレン流れ方向に延長されており、該外側筒状部の延長部分は、内周面に該内周面の全周にわたって該内周面に垂直な方向に突出する突条を備えることができる。この突条が筒状配管の端部表面と密着することで、断熱材とドレンの接触をより効果的に防止することができる。
【００１２】
さらに、前記外側筒状部の延長部分の外周面で、かつ該外側筒状部の前記内周面に形成された前記突条に対向する位置に、該外周面を該外周面に垂直な方向に締め付ける締付部材を設けることができる。これにより、上記突条と共に、外側筒状部の延長部分が筒状配管の端部表面に密着し、断熱材とドレンの接触をさらに効果的に防止することができる。
【００１３】
また、前記第２接続部の溝部の表面と、前記筒状配管の端面並びに該端面の近傍の外周面及び内周面とを接着するための接着剤を設けることで、筒状配管の断熱効果の低下をさらに効果的に回避することができる。
【００１４】
さらに、前記第１接続部及び前記第２接続部の内周面に当接する円筒状部材を備えることで、接続部２及び接続部２と接続部４の境界部を補強することができる。
【発明の効果】
【００１５】
以上のように、本発明によれば、低コストでドレン横走り管の断熱効果の低下を防止することが可能な継手を提供することが可能となる。
【図面の簡単な説明】
【００１６】
【図１】本発明に係る継手を備えるドレンアップ配管の一例を示す概略図である。
【図２】図１の継手とドレン横走り管を示す断面図である。
【図３】図２の継手を示す断面図である。
【図４】図２の継手の円筒状部材を示す拡大斜視図である。
【図５】漏水試験を行う前に、筒状配管に漏水検知インクを塗布した状態を示す写真である。
【図６】漏水試験を行う前に、漏水検知インクを塗布した筒状配管を本発明に係る継手に接続した状態を示す写真である。
【図７】漏水試験を行っている状態を示す写真である。
【図８】漏水試験を行った後の状態を示す写真である。
【図９】従来のドレンアップ配管の一例を示す概略図である。
【図１０】図９に示す継手とドレン横走り管の接続例を示す概略断面図である。
【図１１】図９に示す継手とドレン横走り管の別の接続例を示す概略断面図である。
【発明を実施するための形態】
【００１７】
次に、本発明を実施するための形態について図面を参照しながら詳細に説明する。
【００１８】
図１は、本発明に係る継手を備えるドレンアップ配管を示し、このドレンアップ配管１０は、図９に示す従来のドレンアップ配管２１と同様に、空調室内機２２のドレン管２２ａと、ドレン管２２ａから排出されたドレンを室外に導くためのドレン横走り管（以下「筒状配管」という。）２３と、空調室内機２２を天井部（不図示）に吊すための吊り部２７に付設される吊持部２６とを備え、ドレンホース継手２５に代えて、ドレン管２２ａと筒状配管２３をホース３を介して連結する継手１を備える。
【００１９】
継手１は、軟質の塩化ビニール等からなり、図２及び図３にも示すように、ホース３から導入されるドレンを筒状配管２３へ供給するドレン通路１ａと、一端に、空調室内機２２のドレン管２２ａに接続されるホース３を接続するための接続部（第１接続部）２と、他端に、筒状配管２３に接続するための接続部（第２接続部）４と、接続部２及び接続部４の内側に補強用の円筒状部材５を備える。
【００２０】
接続部４は、内側筒状部４ａ及び外側筒状部４ｂを有し、これら２つの筒状部４ａ、４ｂにより、筒状配管２３の上端面２３ｂを含む上端部２３ａの外周面及び内周面を全周にわたって収容する溝部４ｃが構成される。これにより、筒状配管２３の上端面２３ｂにおいて露出する断熱材２８と、ドレン通路１ａの内部を流れるドレンの接触を防止することができる。
【００２１】
ここで、筒状部４ｂを筒状部４ａよりもドレン通路１ａの軸線方向（ドレン流れ方向）に延長し、この筒状部４ｂの延長部分４ｄの内面に、筒状部４ａ側に全周にわたって突出する２つの突条４ｅ、４ｆ（図３にのみ示す）を設けることができる。これらの突条４ｅ、４ｆが筒状配管２３の外周面と密着することで、断熱材２８とドレンの接触をより効果的に防止することができる。
【００２２】
さらに、筒状部４ｂの延長部分４ｄの外面で、かつ突条４ｅ、４ｆに対向する位置に凹部４ｇを設け、この凹部４ｇにステンレス鋼等からなる結束バンド（締付部材）６を設けることで、突条４ｅ、４ｆと共に、延長部分４ｄの内周面が筒状配管２３の外周面に密着し、断熱材２８とドレンの接触をさらに効果的に防止することができる。
【００２３】
一方、筒状部４ａの外面に、筒状部４ｂ側に全周にわたって突出する３つの突条４ｈ−４ｊ（図３にのみ示す）を設けることができる。これらの突条４ｈ−４ｊが筒状配管２３の内周面と密着することで、断熱材２８とドレンの接触をより効果的に防止することができる。
【００２４】
円筒状部材５は、樹脂等で形成され、接続部２の開口端部から接続部４の筒状部４ａの開口端部の内側に装着されている。図４に示すように、円筒状部材５は、円筒状の基部５ａに複数の凹部５ｂを備え、円筒状部材５を接続部２の開口端部から内部に圧入するだけで、接続部２の内面が凹部５ｂに入り込んで円筒状部材５が固定される。そのため、接着剤は不要である。
【００２５】
円筒状部材５をステンレスパイプで形成することも可能であるが、その際には、長いステンレス管を所定の寸法に切断する必要があり、切断とバリ取りの作業が必要になり、さらに接続部２の内部に装着する際に接着剤が必要となる。樹脂等の場合には、上述のように接着材が不要となるだけでなく、金型を用いて成形すればよく、製造コストを大幅に低減することができる。
【００２６】
円筒状部材５を装着することで接続部２及び接続部２と接続部４の境界部を補強することができ、図２においてホース３の下端部に曲げが加わったような場合にも充分耐えることができる。
【００２７】
以上のように、本発明によれば、従来のようなアダプタ３０（図１１参照）を用いることなく、溝部４ｃ等によって筒状配管２３の断熱材２８がドレンと接触することを効果的に防止することができるため、低コストで筒状配管の断熱効果の低下を防止することができる。
【００２８】
尚、上記は本発明に係る継手の一実施の形態を示したに過ぎず、筒状配管２３の上端面２３ｂを含む上端部２３ａを収容する溝部４ｃを備えるものであれば、本発明の要旨を逸脱しない範囲内で様々な変形や応用が可能である。例えば、筒状配管２３の上端部２３ａと接続部４の溝部４ｃを接着材を用いて接着してもよく、筒状部４ａ、４ｂの形状、突条４ｅ、４ｆ、４ｈ−４ｊの有無、形状やその数、円筒状部材５及び結束バンド６の有無や設置位置等は適宜変更可能である。
【００２９】
次に、本発明の試験例について図５−図８を参照しながら説明する。尚、各図には、実施例１、実施例２及び比較例の３つを並べて表示し、水没時間は４５時間程度とする。
【００３０】
まず、比較例について説明する。図５及び図６に示すように、筒状配管２３（図２参照）の上面に水に濡れると色が落ちる漏水検知インクを塗布し、図７に示すように、漏水検知インクが塗布されていない筒状配管２３の下部を水没させた。その結果、図８に示すように、筒状配管２３の上面に塗布された漏水検知インクの色が落ち、筒状配管２３の下面から断熱材２８（図２参照）を介して上面まで水が浸透したことが判る。
【００３１】
次に、実施例１について説明する。図２に示す継手１と筒状配管２３を用意し、図５に示すように、筒状配管２３の端面に漏水検知インクを塗布し、図６に示すように、筒状配管２３の漏水検知インクが塗布された側と継手１を接続し、図７に示すように、これら継手１及び筒状配管２３の接続部分を水没させた。その後、継手１から筒状配管２３を取り外したところ、図８に示すように、筒状配管２３の端面に塗布された漏水検知インクの色が落ちず、継手１及び筒状配管２３の接続部分における漏水は認められなかった。
【００３２】
最後に、実施例２について説明する。図２及び図３に示す継手１の内側筒状部４ａの突条４ｈ−４ｉの形状を丸みを帯びていないＶ型に変更したもの（不図示）と筒状配管２３を用意し、実施例１と同様に漏水試験を行った（図５−７参照）。その後、継手から筒状配管２３を取り外したところ、図８に示すように、筒状配管２３の端面に塗布された漏水検知インクの色が落ちず、継手及び筒状配管２３の接続部分における漏水は認められなかった。これにより、内側筒状部４ａの突条４ｈ−４ｉの形状は、実施例１の丸みを帯びたＲ型、本実施例のＶ型どちらでも同様の効果を奏することが判った。
【符号の説明】
【００３３】
１  継手
１ａ  ドレン通路
２  接続部
３  ホース
４  接続部
４ａ、４ｂ  筒状部
４ｃ  溝部
４ｄ  延長部分
４ｅ、４ｆ  突条
４ｇ  凹部
４ｈ−４ｊ  突条
５  円筒状部材
５ａ  基部
５ｂ  凹部
６  結束バンド
１０  ドレンアップ配管
【図１】
2018138820.tif 000003
【図２】
2018138820.tif 000004
【図３】
2018138820.tif 000005
【図４】
2018138820.tif 000006
【図５】
2018138820.tif 000007
【図６】
2018138820.tif 000008
【図７】
2018138820.tif 000009
【図８】
2018138820.tif 000010
【図９】
2018138820.tif 000011
【図１０】
2018138820.tif 000012
【図１１】
2018138820.tif 000013